(57)【特許請求の範囲】
【請求項１】
チュービング装置のケーシングチューブ挿通孔の外周に配置された回転体の内周面に、ケーシングチューブの外周面に対応した円弧状内周面を有するチャックカラーを設けるとともに、該チャックカラーの内周面にケーシングチューブの外周面に圧接して該ケーシングチューブを把持するチャックプレートを着脱可能に設けたチュービング装置において、
前記ケーシングチューブを把持する構造は、前記チャックカラーと、該チャックカラーの内周面に取り付けられる取付座と、該取付座に取り付けられる前記チャックプレートとで構成され、
前記チャックカラーの内周面には、前記取付座の幅寸法に対応した幅寸法で、かつ、前記取付座本体の厚さより浅い深さを有する取付座嵌着溝がチャックカラーの上下両端に開口した状態で形成され、
前記取付座は、偏平な直方体状に形成された取付座本体の表面側に、前記チャックプレートの上端面及び下端面がそれぞれ当接する一対の端面当接突部と、チャックプレートの両側面の上下方向中央部が当接する一対の側面当接突部と、前記一対の端面当接突部と前記一対の側面当接突部とに囲まれた部分に形成されたチャックプレート嵌合凹部とを備えたもので、前記取付座嵌着溝に嵌着した状態で固着され、
前記チャックプレートは、前記端面当接突部及び前記側面当接突部の突出高さより厚肉の鋼板の一面に鋸歯状凹凸を形成してなり、前記端面当接突部及び側面当接突部に囲まれた状態で前記取付座のチャックプレート嵌合凹部に着脱可能に固定されている
ことを特徴とするチュービング装置。
【発明の詳細な説明】
【技術分野】
【０００１】
本発明は、チュービング装置に関し、詳しくは、ケーシングチューブの外周をチャックプレートで把持して回転させながら地中に圧入したり、地中からケーシングチューブを抜き取ったりするチュービング装置に関する。
【背景技術】
【０００２】
ケーシングチューブ（鋼管杭）を地中に圧入したり、抜き取ったりするための手段として、チュービング装置が用いられている。このチュービング装置は、通常、地上に据え付けられるベースフレームと、該ベースフレームの上方に昇降シリンダを介して昇降可能に設けられたドライブフレームと、該ドライブフレームの上方にチャックシリンダを介して昇降可能に設けられたチャックフレームと、前記ベースフレーム、ドライブフレーム及びチャックフレームの中央部を鉛直方向に貫通して同軸上にそれぞれ設けられたケーシングチューブ挿通孔と、前記ドライブフレームのケーシングチューブ挿通孔の外周に設けられた下部回転体と、該下部回転体の内周面に設けられた下部チャックと、前記ドライブフレームに設けられた下部回転体駆動用の油圧モータと、前記チャックフレームのケーシングチューブ挿通孔の外周に設けられた上部回転体と、該上部回転体の内周面に設けられた上部チャックとで形成されており、上部チャックの内周に装着したチャックカラーの内周面には、ケーシングチューブ挿通孔に挿通したケーシングチューブの外周面に圧接するチャックプレートが取り付けられている（例えば、特許文献１参照。）。
【先行技術文献】
【特許文献】
【０００３】
【特許文献１】特開２０００−２４８５４９号公報
【発明の概要】
【発明が解決しようとする課題】
【０００４】
前記チャックプレートは、使用期間の経過とともに表面に設けられている鋸歯状の凹凸が摩耗するため、凹凸が摩耗した時点で交換する必要がある。また、チャックプレートは、回転体からの回転力やドライブフレームからの押込力あるいは引抜力をケーシングチューブに確実に伝達させるため、チャックカラーの内周面に形成したチャックプレート嵌着溝内に嵌着させた状態でボルトにて着脱可能に固着されており、前記嵌着溝の周囲の一部には、嵌着溝からチャックプレートを外す際に、チャックプレートの裏面に工具などを差し込むための差込溝を設けるようにしている。
【０００５】
しかし、チャックカラーの内周面は、ケーシングチューブの外周面に対応した円弧状に形成されているため、嵌着溝や差込溝を形成する際の加工作業が面倒であり、また、嵌着溝や差込溝がチャックカラーの内周面に凹んだ状態で形成されているため、ケーシングチューブの圧入、引き抜き作業の際に、差込溝内に土砂が詰まってしまうため、差込溝内から土砂を排除する必要がある。特に、螺旋状掘削羽根を備えたケーシングチューブを施工する場合には、チャックプレートが螺旋の傾斜に合わせた状態で配置されるため、チャックプレートの位置に応じてチャックカラーの内周面における嵌着溝や差込溝の位置を調整する必要があった。
【０００６】
そこで本発明は、チャックカラーの内周面に取り付けられるチャックプレートの取り外しを容易に行えるとともに、チャックカラーへの加工も容易に行うことができるチュービング装置を提供することを目的としている。
【課題を解決するための手段】
【０００７】
上記目的を達成するため、本発明のチュービング装置は、チュービング装置のケーシングチューブ挿通孔の外周に配置された回転体の内周面に、ケーシングチューブの外周面に対応した円弧状内周面を有するチャックカラーを設けるとともに、該チャックカラーの内周面にケーシングチューブの外周面に圧接して該ケーシングチューブを把持するチャックプレートを着脱可能に設けたチュービング装置において、前記ケーシングチューブを把持する構造は、前記チャックカラーと、該チャックカラーの内周面に取り付けられる取付座と、該取付座に取り付けられる前記チャックプレートとで構成され、前記チャックカラーの内周面には、前記取付座の幅寸法に対応した幅寸法で、かつ、前記取付座本体の厚さより浅い深さを有する取付座嵌着溝がチャックカラーの上下両端に開口した状態で形成され、前記取付座は、偏平な直方体状に形成された取付座本体の表面側に、前記チャックプレートの上端面及び下端面がそれぞれ当接する一対の端面当接突部と、チャックプレートの両側面の上下方向中央部が当接する一対の側面当接突部と、前記一対の端面当接突部と前記一対の側面当接突部とに囲まれた部分に形成されたチャックプレート嵌合凹部とを備えたもので、前記取付座嵌着溝に嵌着した状態で固着され、前記チャックプレートは、前記端面当接突部及び前記側面当接突部の突出高さより厚肉の鋼板の一面に鋸歯状凹凸を形成してなり、前記端面当接突部及び側面当接突部に囲まれた状態で前記取付座のチャックプレート嵌合凹部に着脱可能に固定されていることを特徴としている。
【発明の効果】
【０００８】
本発明のチュービング装置によれば、チャックカラーへの加工は、上下両端が開口した取付座嵌着溝を形成するだけでよいため、加工作業を容易に行うことができる。また、取付座は、取付座嵌着溝に嵌着させた状態で溶接などによって固着することにより、取付座をチャックカラーの所定位置に固着することができる。さらに、チャックプレートは、端面当接突部及び側面当接突部に囲まれた状態で取り付けられるため、回転力や押込力、引抜力をケーシングチューブに確実に伝達することができる。そして、側面当接突部がチャックプレートの両側面の上下方向中央部に当接するように設けられているので、側面当接突部の上下両端と端面当接突部との間に、チャックプレートを取付座から取り外す際に工具などを差し込むための開口を形成することができるとともに、取付座がチャックカラーの内周面より突出した状態になっているため、作業中に土砂が付着しにくく、また、付着しても容易に除去することができ、チャックプレートの取り外し作業を容易に行うことができる。
【図面の簡単な説明】
【０００９】
【図１】本発明のチュービング装置の一形態例を示す要部の斜視図である。
【図２】同じく要部の正面図である。
【図３】図２のIII−III断面図である。
【図４】同じくチュービング装置の断面正面図である。
【図５】同じくチュービング装置におけるチャックフレームの平面図である。
【図６】図５のVI−VI矢視図である。
【図７】図６のVII−VII断面図である。
【発明を実施するための形態】
【００１０】
本形態例に示すチュービング装置は、地上に据え付けられるベースフレーム１１と、該ベースフレーム１１の上方に昇降シリンダ１２を介して昇降可能に設けられたドライブフレーム１３と、該ドライブフレーム１３の上方にチャックシリンダ１４を介して昇降可能に設けられたチャックフレーム１５と、前記ベースフレーム１１、ドライブフレーム１３及びチャックフレーム１５の中央部を鉛直方向に貫通して同軸上にそれぞれ設けられたケーシングチューブ挿通孔１６と、前記ドライブフレーム１３のケーシングチューブ挿通孔１６の外周にベアリング１３ａを介して設けられた下部回転体１７と、該下部回転体１７の内周面に設けられた下部チャック１８と、前記ドライブフレーム１３に設けられた下部回転体駆動用の油圧モータ１９と、前記チャックフレーム１５のケーシングチューブ挿通孔１６の外周にベアリング１５ａを介して設けられた上部回転体２０と、該上部回転体２０の下部にリンク２０ａを介して内外方向に移動可能に吊持された複数の上部チャック２１とで形成されており、各上部チャック２１の内周面には、螺旋状掘削羽根２２を備えたケーシングチューブ２３をケーシングチューブ挿通孔１６内に挿通するための螺旋構造を有するチャックカラー２４がそれぞれ取り付けられている。さらに、各チャックカラー２４の内周面には、ケーシングチューブ挿通孔１６に挿通したケーシングチューブ２３の外周面を把持するチャックプレート２５が取付座２６を介して取り付けられている。
【００１１】
１０個に分割されたチャックカラー２４は、各上部チャック２１の内周面に固着される基板２７と、該基板２７から内周側に突出した上下３段の支持筒２８と、各支持筒２８の先端にそれぞれ設けられたチャック支持板２９とを備えており、前記基板２７は、ボルト挿通孔２７ａに挿通したボルト（図示せず）によって上部チャック２１に固着され、最上部の支持筒２８の両側面には吊り上げ部２８ａが設けられている。
【００１２】
チャック支持板２９は、ケーシングチューブ２３の外周面の曲率に対応した曲率を有する円弧状に形成されており、チャック支持板２９の内周面には、前記取付座２６を取り付けるためのケーシングチューブ軸線方向（上下方向）の取付座嵌着溝３０が周方向に等間隔で３箇所に設けられている。また、取付座２６は、厚板鋼板に所定加工を施したものであって、偏平な直方体状を有する取付座本体２６ａと、前記チャックプレート２５の上端面及び下端面にそれぞれ当接する一対の端面当接突部２６ｂ，２６ｂと、チャックプレート２５の両側面の上下方向中央部に当接する一対の側面当接突部２６ｃ，２６ｃとを備えており、上下の端面当接突部２６ｂ，２６ｂと両側の側面当接突部２６ｃ，２６ｃとによって囲まれた部分に、チャックプレート２５が嵌合するチャックプレート嵌合凹部２６ｄが形成されるとともに、固定用ボルト３１を螺着する雌ねじ孔３２が形成され、側面当接突部２６ｃの上下両端と端面当接突部２６ｂとの間に、取付座２６からチャックプレート２５を外す際に、チャックプレート２５の裏面に工具などを差し込むための差込溝２６ｅが開口した状態となっている。
【００１３】
前記チャックプレート２５は、端面当接突部２６ｂ及び側面当接突部２６ｃの突出高さ（チャックプレート嵌合凹部２６ｄの深さ）より厚肉の鋼板の一面に鋸歯状凹凸２５ａを形成するとともに、２箇所にボルト挿通孔２５ｂを設けたものであって、従来からこの種のチャックプレートとして用いられているものをそのまま利用することができる。
【００１４】
前記取付座嵌着溝３０は、溝断面がコ字状であって、上下方向両端はチャック支持板２９の上下両端に開口しており、幅寸法は取付座２６の幅寸法に対応し、深さは取付座２６における取付座本体２６ａの厚さより僅かに浅い形状を有しており、３箇所とも同一形状に形成されている。このような取付座嵌着溝３０は、チャック支持板２９に対して切削具をチャック支持板２９の上下方向に相対的に移動させることにより、チャック支持板２９の曲率に関係なく、各一工程で容易に形成することができる。また、取付座２６は、全てを同一形状に形成することができるので、端面当接突部２６ｂ及び側面当接突部２６ｃを含む厚さで、所定の長さ及び幅を有する鋼板の一面に、前記チャックプレート嵌合凹部２６ｄに相当する部分と差込溝２６ｅに相当する部分とをそれぞれ一定の深さで溝状に切削加工し、チャックプレート嵌合凹部２６ｄ内の一定の位置に雌ねじ孔３２を形成することにより、多数の取付座２６を容易に製作することができる。さらに、取付座嵌着溝３０への取付座２６の固着を溶接によって行うことにより、溶接時の簡単な位置調整で取付座２６を所定の螺旋対応位置に固着することができる。
【００１５】
チャック支持板２９の取付座嵌着溝３０に固着された取付座２６へのチャックプレート２５の取り付けは、取付座２６のチャックプレート嵌合凹部２６ｄにチャックプレート２５を嵌め込み、ボルト挿通孔２５ｂに挿通した固定用ボルト３１を雌ねじ孔３２にねじ込むことによって行うことができる。一方、取付座２６からチャックプレート２５を取り外す際には、固定用ボルト３１を抜き取り、差込溝２６ｅからチャックプレート２５の裏面に工具などを差し込んでチャックプレート２５を浮き上がらせることによって行うことができる。また、ケーシングチューブ施工時にチャックプレート２５の周囲に土砂が付着しても、取付座２６やチャックプレート２５がチャック支持板２９の内周面より突出しているため、従来のような溝内から土砂を取り除く場合に比べて簡単な作業でチャックプレート２５の周囲から土砂を取り除くことができ、チャックプレート２５の取り外し作業を効率よく短時間で行うことができる。
【符号の説明】
【００１６】
１１…ベースフレーム、１２…昇降シリンダ、１３…ドライブフレーム、１３ａ…ベアリング、１４…チャックシリンダ、１５…チャックフレーム、１５ａ…ベアリング、１６…ケーシングチューブ挿通孔、１７…下部回転体、１８…下部チャック、１９…油圧モータ、２０…上部回転体、２０ａ…リンク、２１…上部チャック、２２…螺旋状掘削羽根、２３…ケーシングチューブ、２４…チャックカラー、２５…チャックプレート、２５ａ…鋸歯状凹凸、２５ｂ…ボルト挿通孔、２６…取付座、２６ａ…取付座本体、２６ｂ…端面当接突部、２６ｃ…側面当接突部、２６ｄ…チャックプレート嵌合凹部、２６ｅ…差込溝、２７…基板、２７ａ…ボルト挿通孔、２８…支持筒、２８ａ…吊り上げ部、２９…チャック支持板、３０…取付座嵌着溝、３１…固定用ボルト、３２…雌ねじ孔
【図１】
0005808236.tif 000002
【図２】
0005808236.tif 000003
【図３】
0005808236.tif 000004
【図４】
0005808236.tif 000005
【図５】
0005808236.tif 000006
【図６】
0005808236.tif 000007
【図７】
0005808236.tif 000008